(57)【要約】【課題】  設置面ごとの専用部品の増加を抑制しつつ、施工性を損なわずに設置することが可能な止水栓装置を提供する。【解決手段】  設置面に設置され便器洗浄手段及び衛生洗浄装置に給水可能な止水栓装置であって、設置面に接続され、水が流入する流入管部と、流入管部の下流端に接続され流入管部から流入した水を分岐させる分岐部と、分岐部から延び、便器洗浄手段置及び前記衛生洗浄装置の内の一方に給水するための第一流出管部と、分岐部から第一流出管部が延びる方向に交差する方向へと延び、便器洗浄手段及び衛生洗浄装置の内の他方に給水するための第二流出管部と、を有する止水栓本体と、第一流出管部及び前記第二流出管部の内、設置面に設置された状態で上流端がより後方に位置する一方に取り付けられ、前方へ向けて屈曲する屈曲管部材と、を備える止水栓装置である。【選択図】  図１
2018109324.tif 000002
【特許請求の範囲】
【請求項１】
設置面に設置され便器洗浄手段及び衛生洗浄装置に給水可能な止水栓装置であって、
前記設置面に接続され、水が流入する流入管部と、
前記流入管部の下流端に接続され前記流入管部から流入した水を分岐させる分岐部と、
前記分岐部から延び、前記便器洗浄手段及び前記衛生洗浄装置の内の一方に給水するための第一流出管部と、
前記分岐部から前記第一流出管部が延びる方向に交差する方向へと延び、前記便器洗浄手段及び前記衛生洗浄装置の内の他方に給水するための第二流出管部と、
を有する止水栓本体と、
前記第一流出管部及び前記第二流出管部の内、前記設置面に設置された状態で上流端がより後方に位置する一方に取り付けられ、前方へ向けて屈曲する屈曲管部材と、
を備える止水栓装置。
【請求項２】
前記第一流出管部は前記流入管部と同一方向へと延び、前記第二流出管部は前記第一流出管部と直交する方向へと延びる請求項１に記載の止水栓装置。
【請求項３】
前記第一流出管部及び前記第二流出管部の内、前記設置面に設置された状態で上流端がより前方に位置する一方と、前記屈曲管部材の下流側端部と、は平行に延びる請求項２に記載の止水栓装置。
【請求項４】
前記止水栓本体は、前記分岐部から前記第一流出管部及び前記第二流出管部への水の流出を止水する止水ユニットを有し、
前記止水ユニットは止水を操作するための操作部を有し、前記操作部は、前記流入管部が延びる方向及び前記第二流出管部が延びる方向に直交する方向に突出して設けられた請求項２又は３に記載の止水栓装置。
【請求項５】
請求項１乃至４の何れか１項に記載の前記止水栓装置と、
便器本体と、
前記便器洗浄手段と、
前記衛生洗浄装置と、
前記止水栓装置と前記便器洗浄手段とを接続する第一ホースと、
前記止水栓装置と前記衛生洗浄装置とを接続する第二ホースと、
前記便器本体の後部側面、及び、前記止水栓装置、前記第一ホース、前記第二ホースを覆うカバーと、
を備える便器装置。
【発明の詳細な説明】
【技術分野】
【０００１】
本発明は、設置面に設置される止水栓装置、及び、それを備える便器装置に関する。
【背景技術】
【０００２】
従来から、便器洗浄手段及び衛生洗浄装置に給水する止水栓装置として、設置面に応じて、設置面と止水栓本体とを接続する部材を選択するものが知られている。
この種の止水栓本体においては、例えば、設置面が床面である場合は、直線状の管部材にて床面と止水栓本体とを接続し、設置面が壁面である場合は、Ｌ字状の管部材にて壁面と止水栓本体とを接続する。さらに、止水栓本体に分岐金具を取り付けることで、設置面に係わらず便器洗浄手段へ給水するホースと衛生洗浄装置へ給水するホースへとそれぞれ給水を行う（例えば、特許文献１参照）。
【先行技術文献】
【特許文献】
【０００３】
【特許文献１】特許第５０１２２８９号公報
【発明の概要】
【発明が解決しようとする課題】
【０００４】
上述した従来の止水栓装置においては、設置面に応じて設置面と止水栓本体とを接続する部材を選択するため、設置面によっては、必要のない部材が生じてしまう。ここで、必要のない部材が生じることを防ぐために、例えば、設置面が床面である場合も壁面である場合も直線状の管部材にて設置面と止水栓本体とを接続しようとすると、止水栓本体への分岐金具の取り付け位置及び向きが設置面ごとに変化してしまい、施工性が低下してしまうおそれがある。さらに、止水栓本体への分岐管の取り付け位置及び向きが設置面ごとに変化すると、便器洗浄手段へ給水するホース及び衛生洗浄装置へ給水するホースを設置面ごとに用意しなくてはならないおそれがある、あるいは、より分岐管の取り付け位置が遠くなる場合に合わせて便器洗浄手段へ給水するホース及び衛生洗浄装置へ給水するホースを用意する必要があり、設計自由度が損なわれるおそれがある。
【０００５】
本発明は、上述した問題を解決するためになされたものであり、設置面ごとの専用部品の増加を抑制しつつ、施工性を損なわずに設置することが可能な止水栓装置を提供することを目的とする。
【課題を解決するための手段】
【０００６】
本発明は、設置面に設置され便器洗浄手段及び衛生洗浄装置に給水可能な止水栓装置であって、設置面に接続され、水が流入する流入管部と、流入管部の下流端に接続され流入管部から流入した水を分岐させる分岐部と、分岐部から延び、便器洗浄手段及び前記衛生洗浄装置の内の一方に給水するための第一流出管部と、分岐部から第一流出管部が延びる方向に交差する方向へと延び、便器洗浄手段及び衛生洗浄装置の内の他方に給水するための第二流出管部と、を有する止水栓本体と、第一流出管部及び前記第二流出管部の内、設置面に設置された状態で上流端がより後方に位置する一方に取り付けられ、前方へ向けて屈曲する屈曲管部材と、を備える止水栓装置である。
【０００７】
このように構成された本発明においては、第一流出管部及び前記第二流出管部の内、設置面に設置された状態で上流端がより後方に位置する一方に取り付けられ、前方へ向けて屈曲する屈曲管部材を備えるため、設置面が床面及び壁面の何れであっても、便器洗浄手段及び衛生洗浄装置へ給水する位置及び向きが変化することを抑制することができる。また、設置面によらず屈曲管部材を使用することができるため、設置面ごとの専用部品が増加することがない。従って、設置面ごとの専用部品の増加を抑制しつつ、施工性を損なわずに設置することができる。また、従来のように、止水栓装置本体に対して分岐金具を別途設けることなく便器洗浄手段と衛生洗浄装置とに水を分岐させることができる。
【０００８】
本発明は、好ましくは、第一流出管部は流入管部と同一方向へと延び、第二流出管部は第一流出管部と直交する方向へと延びる。
【０００９】
このように構成された本発明においては、第一流出管部は流入管部と同一方向へと延び、第二流出管部は第一流出管部と直交する方向へと延びるため、設置面が床面及び壁面の何れであっても、便器洗浄手段及び衛生洗浄装置へ給水する位置及び向きが変化することをより抑制することができる。従って、設置面ごとの専用部品の増加を抑制しつつ、施工性をより損なわずに設置することができる。
【００１０】
本発明は、好ましくは、第一流出管部及び第二流出管部の内、設置面に設置された状態で上流端がより前方に位置する一方と、屈曲管部材の下流側端部と、は平行に延びる。
【００１１】
このように構成された本発明においては、第一流出管部及び第二流出管部の内、設置面に設置された状態で上流端がより前方に位置する一方と、屈曲管部材の下流側端部と、は平行に延びるため、設置面が床面及び壁面の何れであっても、便器洗浄手段及び衛生洗浄装置へ給水する位置及び向きが変化することをより抑制することができる。従って、設置面ごとの専用部品の増加を抑制しつつ、施工性をより損なわずに設置することができる。
【００１２】
本発明は、好ましくは、止水栓本体は、分岐部から第一流出管部及び第二流出管部への水の流出を止水する止水ユニットを有し、止水ユニットは止水を操作するための操作部を有し、操作部は、流入管部が延びる方向及び第二流出管部が延びる方向に直交する方向に突出して設けられる。
【００１３】
このように構成された本発明においては、操作部は、流入管部が延びる方向及び第二流出管部が延びる方向に直交する方向に突出して設けられるため、設置面が床面及び壁面の何れであっても、便器洗浄手段及び衛生洗浄装置へ給水する位置及び向きが変化することを抑制しつつ、操作部の位置及び向きが変化することを抑制することができる。従って、設置面ごとの専用部品の増加を抑制しつつ、施工性をより損なわずに設置することができる。
【００１４】
本発明は、また、止水栓装置と、便器本体と、便器洗浄手段と、衛生洗浄装置と、止水栓装置と便器洗浄手段とを接続する第一ホースと、止水栓装置と衛生洗浄装置とを接続する第二ホースと、便器本体の後部側面、及び、止水栓装置、第一ホース、第二ホースを覆うカバーと、を備える便器装置である。
【００１５】
このように構成された本発明においては、設置面が床面及び壁面の何れであっても、便器洗浄手段及び衛生洗浄装置へ給水する位置及び向きが変化することを抑制することができる。また、設置面によらず屈曲管部材を使用することができるため、設置面ごとの専用部品が増加することがない。また、従来のような止水栓装置本体に対して分岐管を別途設けることなく便器洗浄手段と衛生洗浄装置とに水を分岐させることができる。従って、設置面ごとの専用部品の増加を抑制しつつ、施工性を損なわずに設置することができる。
【発明の効果】
【００１６】
本発明の止水栓装置によれば、設置面ごとの専用部品の増加を抑制しつつ、施工性を損なわずに設置することが可能となる。
【図面の簡単な説明】
【００１７】
【図１】本発明の第一実施形態に係る便器装置を示す側面図。
【図２】図１の便器装置の後方側部を示す部分拡大図。
【図３】本発明の第一実施形態に係る止水栓装置に開閉具を装着した状態を示す前方から見た断面図。
【図４】本発明の第二実施形態に係る便器装置を示す側面図。
【図５】図４の便器装置の後方側部を示す部分拡大図。
【発明を実施するための形態】
【００１８】
以下、図面を参照して本発明の第一実施形態に係る便器装置について説明する。
まず、図１により本発明の第一実施形態に係る便器装置の構成について説明する。図１は本発明の第一実施形態に係る便器装置を示す側面図である。なお、図１においては、カバーについて一部破断した状態を示している。
【００１９】
図１に示すように、本発明の第一実施形態に係る便器装置１００は、床面Ｆに載置される便器本体１２０と、便器本体１２０の後部に設けられる便器洗浄手段１４０と、便器本体１２０の上方に設けられる衛生洗浄装置１６０と、衛生洗浄装置１６０に上下方向に回動可能に取り付けられた便座（図示せず）及び便蓋１６２と、設置面である床面Ｆに設置される止水栓装置１８０とを備える。
また、便器洗浄手段１４０と止水栓装置１８０とは便器側給水ホース１７０ａ（第一ホース）にて接続され、衛生洗浄装置１６０と止水栓装置１８０とは衛生洗浄側給水ホース１７０ｂ（第二ホース）にて接続され、便器本体１２０の後部側面、及び、止水栓装置１８０、便器側給水ホース１７０ａ、衛生洗浄側給水ホース１７０ｂはカバー１９０にて覆われる。
【００２０】
便器本体１２０は陶器製であり、ボウル部（図示せず）とボウル部（図示せず）の底部に接続する排水トラップ管路（図示せず）とを備え、後方にて内部側へ向けて凹んでいる。ボウル部（図示せず）は、ボウル形状の汚物受け面（図示せず）と、汚物受け面（図示せず）の上縁に設けられたリム部（図示せず）とを有する。リム部（図示せず）には、便器洗浄手段１４０から供給された水を吐水するリム吐水口（図示せず）が開口され、ボウル部（図示せず）の底部には、便器洗浄手段１４０から供給された水を排水トラップ管路（図示せず）に向けて吐水するゼット吐水口（図示せず）が開口されている。
リム吐水口（図示せず）から吐水された水はボウル部（図示せず）に旋回流を形成し、ボウル部（図示せず）を洗浄する。また、ゼット吐水口（図示せず）から吐水された水は排水トラップ管路（図示せず）を満たしてサイホンを生じさせる。
【００２１】
便器洗浄手段１４０は、水を貯水する貯水タンク（図示せず）と、貯水タンク（図示せず）内の水を加圧してゼット吐水口（図示せず）へ給水する加圧ポンプ（図示せず）とを有する。便器洗浄手段１４０の給水路（図示せず）は、その上流側が便器側給水ホース１７０ａに接続されており、貯水タンク（図示せず）の上流側の給水路には、定流量弁（図示せず）、電磁弁（図示せず）、貯水タンク（図示せず）への給水とリム吐水口（図示せず）への吐水とを切り替える切替弁（図示せず）等が設けられている。また、便器洗浄手段１４０には、これら以外にも、電磁弁（図示せず）の開閉操作、切替弁（図示せず）の切替操作、及び、加圧ポンプ（図示せず）の回転数や作動時間等を制御するコントローラ（図示せず）等が設けられている。
【００２２】
衛生洗浄装置１６０は、衛生洗浄側給水ホース１７０ｂから給水された水をボウル部（図示せず）の上方の使用者に向けて水を噴射するノズル装置（図示せず）を有する。その他、衛生洗浄装置１６０には、衛生洗浄側給水ホース１７０ｂから給水される水を貯水する貯水部（図示せず）、この貯水部（図示せず）内の洗浄水を適温に温めて温水にする加熱器（図示せず）、換気ファン（図示せず）、脱臭ファン（図示せず）、温風ファン（図示せず）、及び、これらの機器の作動を制御するコントローラ（図示せず）等が設けられている。
【００２３】
なお、本実施形態による便器装置１００においては、リム吐水口（図示せず）によるリム吐水について水道の給水圧力を利用して行い、ゼット吐水口（図示せず）によるゼット吐水について加圧ポンプ（図示せず）を制御することにより貯水タンク（図示せず）内の洗浄水を供給する、いわゆる、ハイブリッド式の便器装置の形態について説明するが、このような形態に限られず、他の形態についても適用可能である。すなわち、他の形態として、例えば、貯水タンク（図示せず）を省略し水道のみから直接的に供給される洗浄水によってリム吐水口（図示せず）によるリム吐水とゼット吐水口（図示せず）によるゼット吐水とを行う形態であってもよい。
【００２４】
止水栓装置１８０は、便器本体１２０の後部の前方から見て左側における凹みにおいて、設置面である床面Ｆに設置され、詳細は後述するが、止水栓本体１８２と、屈曲管部材１８４とを有する。止水栓装置１８０は、床面Ｆの下方に設けられた水道管（図示せず）から供給された水を便器側給水ホース１７０ａ及び衛生洗浄側給水ホース１７０ｂを介して、便器洗浄手段１４０及び衛生洗浄装置１６０に給水する。
【００２５】
カバー１９０は、樹脂製であり、衛生洗浄装置１６０に設けられた係合部（図示せず）により着脱自在に係合され、その外表面が便器本体１２０の前部側面と略面一になる状態で、便器本体１２０の後部側面、及び、止水栓装置１８０、便器側給水ホース１７０ａ、衛生洗浄側給水ホース１７０ｂを覆う。
【００２６】
次に、図２により本発明の第一実施形態に係る止水栓装置について説明する。図２は図１の便器装置の後方側部を示す部分拡大図である。なお、図２においては、カバーは省略した状態を示している。
【００２７】
図２に示すように、止水栓装置１８０の止水栓本体１８２は、設置面である床面Ｆに接続され、床面Ｆと垂直に延びて水が流入する流入管部１８２ａと、流入管部１８２ａの上端（下流端）に接続され流入管部１８２ａから流入した水を分岐させる分岐部１８２ｂと、分岐部１８２ｂから延びて便器洗浄手段１４０に給水するための第一流出管部１８２ｃと、分岐部１８２ｂから前方向（第一流出管部１８２ｃが延びる方向に交差する方向）へと延びて、衛生洗浄装置１６０に給水するための第二流出管部１８２ｄとを有する。
【００２８】
また、止水栓本体１８２は、分岐部１８２ｂから第一流出管部１８２ｃ及び第二流出管部１８２ｄへの水の流出を止水する止水ユニット１８６を有する。
【００２９】
第一流出管部１８２ｃは床面Ｆと垂直（流入管部１８２ａと同一方向）に延び、便器側給水ホース１７０ａへと水を給水する。また、第二流出管部１８２ｄは床面Ｆと平行（第一流出管部１８２ｃと直交する方向）に延び、衛生洗浄側給水ホース１７０ｂに接続されて、衛生洗浄装置１６０へと水を給水する。
なお、流入管部１８２ａ、分岐部１８２ｂ、第一流出管部１８２ｃ、及び、第二流出管部１８２ｄは一体にて成型される。
【００３０】
図２に示すように、止水栓装置１８０の屈曲管部材１８４は、上流側と下流側とが直交するＬ字状に形成される。屈曲管部材１８４は、第一流出管部１８２ｃ及び第二流出管部１８２ｄの内、床面Ｆに設置された状態で上流端がより後方に位置している第一流出管部１８２ｃに下流側が前方へ向く状態で取り付けられる。屈曲管部材１８４は、第一流出管部１８２ｃと便器側給水ホース１７０ａとの間を繋ぎ、便器洗浄手段１４０へと水を給水する。
【００３１】
また、屈曲管部材１８４の下流側端部１８４ａは、前方へ第二流出管部１８２ｄと平行（第一流出管部１８２ｂ及び第二流出管部１８２ｄの内、設置面である床面Ｆに設置された状態で上流端がより前方に位置する一方、即ち、屈曲管部材１８４が取り付けられていない一方と平行）に延びる。
【００３２】
止水ユニット１８６は、止水を操作するための操作部１８６ａを有する。操作部１８６ａは、左方（流入管部１８２ａが延びる方向及び第二流出管部１８２ｄが延びる方向に直交する方向）に突出して設けられ、開閉具３００（後述する）により操作される。
【００３３】
次に、図３により操作部１８６ａの操作について説明する。図３は本発明の第一実施形態に係る止水栓装置に開閉具を装着した状態を示す前方から見た断面図である。
操作部１８６ａは、開閉具３００により操作される。開閉具３００は、ハンドル３１０と、ハンドル３１０の中心部にネジ固定され延びるスピンドル３２０と、スピンドル３２０を側方から覆うカバー３３０と、ハンドル３１０とカバー３３０との間に設けられたバネ３４０とを備える。
【００３４】
スピンドル３２０は操作部１８６ａに形成された溝に係合する。スピンドル３２０が層サブ１８６ａの溝に係合した状態でハンドル３１０をスピンドル３２０の軸周りに回転させることで、止水ユニット１８６が作動し第一流出管部１８２ｃ及び第二流出管部１８２ｄへの水の流出を止水する。また、カバー３３０は操作部１８６ａの溝の周りに形成された開口断面が六角形の筒状部に係合する。この構成により、スピンドル３２０を操作部１８６ａに容易に係合させることができる。
バネ３４０は、カバー３３０を操作部１８６ａへと付勢する。この構成により、ハンドル３１０を回転中に作業者がハンドル３１０から手を離しても、開閉具３００が操作部１８６ａから落下することを抑制することができる。
【００３５】
次に、図４及び図５により本発明の第二実施形態に係る便器装置の構成について説明する。図４は本発明の第一実施形態に係る便器装置を示す側面図であり、図５は図４の便器装置の後方側部を示す部分拡大図である。なお、図４においては、カバーについて一部破断した状態を示しており、図５においては、カバーは省略した状態を示している。
また、第一実施形態と異なる点のみ説明する。
【００３６】
図４に示すように、本発明の第二実施形態に係る便器装置２００は、止水栓装置１８０の設置面が壁面Ｗである点が第一実施形態に係る便器装置１００と異なる。
【００３７】
図５に示すように、第二実施形態においては、止水栓装置１８０の止水栓本体１８２は、設置面である壁面Ｗに接続される。
止水栓本体１８２の流入管部１８２ａは壁面Ｗと垂直に延びて、流入管部１８２ａから流入した水を分岐させる分岐部１８２ｂは流入管部１８２ａの前端（下流端）に接続される。
【００３８】
第一流出管部１８２ｃは壁面Ｗと垂直（流入管部１８２ａと同一方向）に延び、便器側給水ホース１７０ａに接続されて、便器洗浄手段１４０へと水を給水する。また、第二流出管部１８２ｄは壁面Ｆと平行（第一流出管部１８２ｃと直交する方向）に延び、衛生洗浄側給水ホース１７０ｂへと水を給水する。
【００３９】
止水栓装置１８０の屈曲管部材１８４は、第一流出管部１８２ｃ及び第二流出管部１８２ｄの内、床面Ｆに設置された状態で上流端がより後方に位置している第二流出管部１８２ｄに下流側が前方へ向く状態で取り付けられる。屈曲管部材１８４は、第二流出管部１８２ｄと衛生洗浄側給水ホース１７０ｂとの間を繋ぎ、衛生洗浄装置１６０へと水を給水する。
【００４０】
また、屈曲管部材１８４の下流側端部１８４ａは、前方へ第一流出管部１８２ｂと平行（第一流出管部１８２ｂ及び第二流出管部１８２ｄの内、設置面である壁面Ｗに設置された状態で上流端がより前方に位置する一方、即ち、屈曲管部材１８４が取り付けられていない一方と平行）に延びる。
【００４１】
上述した本発明の第一実施形態による便器装置１００及び第二実施形態による便器装置２００によれば、止水栓装置１８０において、第一流出管部１８２ｃ及び第二流出管部１８２ｄの内、設置面である床面Ｆ又は壁面Ｗに設置された状態で上流端がより後方に位置する一方に取り付けられ、前方へ向けて屈曲する屈曲管部材１８４を備える。そのため、設置面が床面Ｆ及び壁面Ｗの何れであっても、便器洗浄手段１４０及び衛生洗浄装置１６０へ給水する位置及び向き、即ち、便器側給水ホース１７０ａ及び衛生洗浄側給水ホース１７０ｂが接続される位置及び向きの変化を抑制することがきできる。また、設置面によらず屈曲管部材１８４を使用することができるため、設置面ごとの専用部品が増加することがない。従って、設置面ごとの専用部品の増加を抑制しつつ、施工性を損なわずに設置することができる。また、従来のように、止水栓装置本体１８２に対して分岐金具を別途設けることなく、流入管部１８２ａ、第一流出管部１８２ｃ、第二流出管部１８２ｄと一体に成型された分岐部１８２ｂにより、便器洗浄手段１４０と衛生洗浄装置１６０とに水を分岐させることができる。
【００４２】
さらに、上述した本発明の第一実施形態による便器装置１００及び第二実施形態による便器装置２００によれば、止水栓装置１８０において、第一流出管部１８２ｃは流入管部１８２ａと同一方向へと延び、第二流出管部１８２ｄは第一流出管部１８２ｃと直交する方向へと延びる。そのため、設置面が床面Ｆ及び壁面Ｗの何れであっても、便器洗浄手段１４０及び衛生洗浄装置１６０へ給水する位置及び向きが変化することをより抑制することができる。従って、設置面ごとの専用部品の増加を抑制しつつ、施工性をより損なわずに設置することができる。
【００４３】
さらに、上述した本発明の第一実施形態による便器装置１００及び第二実施形態による便器装置２００によれば、止水栓装置１８０において、第一流出管部１８２ｃ及び第二流出管部１８２ｄの内、設置面である床面Ｆ又は壁面Ｗに設置された状態で上流端がより前方に位置する一方と、屈曲管部材１８４の下流側端部１８４ａとは平行に延びる。そのため、設置面が床面Ｆ及び壁面Ｗの何れであっても、便器洗浄手段１４０及び衛生洗浄装置１６０へ給水する位置及び向きが変化することをより抑制することができる。また、便器側給水ホース１７０ａ及び衛生洗浄側給水ホース１７０ｂが、同一の方向へと延びるため、便器側給水ホース１７０ａと衛生洗浄側給水ホース１７０ｂとが互いに干渉しあうことを抑制することができる。そのため、便器側給水ホース１７０ａと衛生洗浄側給水ホース１７０ｂとが互いに干渉することでカバー１９０を押し外すことを抑制することができる。従って、設置面ごとの専用部品の増加を抑制しつつ、施工性をより損なわずに設置することができる。
【００４４】
さらに、上述した本発明の第一実施形態による便器装置１００及び第二実施形態による便器装置２００によれば、止水栓装置１８０において、止水栓本体１８２は、分岐部１８２ｂから第一流出管部１８２ｃ及び第二流出管部１８２ｄへの水の流出を止水する止水ユニット１８６を有し、止水ユニット１８６は止水を操作するための操作部１８６ａを有し、操作部１８６ａは、流入管部１８２ａが延びる方向及び第二流出管部１８２ｄが延びる方向に直交する方向に突出して設けられる。そのため、設置面が床面Ｆ及び壁面Ｗの何れであっても、便器洗浄手段１４０及び衛生洗浄装置１６０へ給水する位置及び向きが変化することを抑制しつつ、操作部１８６ａの位置及び向きが変化することを抑制することができる。従って、設置面ごとの専用部品の増加を抑制しつつ、施工性をより損なわずに設置することができる。
【符号の説明】
【００４５】
１００      便器装置
１２０      便器本体
１４０      便器洗浄手段
１６０      衛生洗浄装置
１６２      便蓋
１７０ａ    便器側給水ホース（第一ホース）
１７０ｂ    衛生洗浄側給水ホース（第二ホース）
１８０      止水栓装置
１８２      止水栓本体
１８２ａ    流入管部
１８２ｂ    分岐部
１８２ｃ    第一流出管部
１８２ｄ    第二流出管部
１８４      屈曲管部材
１８４ａ    下流側端部
１８６      止水ユニット
１８６ａ    操作部
１９０      カバー
２００      便器装置
３００      開閉具
３１０      ハンドル
３２０      スピンドル
３３０      カバー
３４０      バネ
Ｆ          床面
Ｗ          壁面
【図１】
2018109324.tif 000003
【図２】
2018109324.tif 000004
【図３】
2018109324.tif 000005
【図４】
2018109324.tif 000006
【図５】
2018109324.tif 000007